(57)【要約】　　　（修正有）【課題】梱包時に堅牢性を有し、専用の包装機械を必要としない貼り不要六面体パッケージを提供する。【解決手段】概略長方形状の板紙、段ボールあるいは他の薄型形状素材に、四角形状の底パネルを設け、底パネルの両辺に長方形の外パネルをそれぞれ連ね、左、右側それぞれの外パネルの上下に長方形の中パネルと外パネルとを連ね、中央の両外パネルの側辺に四角形のダストフラップを連ね、左下の外パネルに折り返しを介在させて端部にタックを有するネックスルーパネルを連ね、右上の外パネルに端部にタックを有する天パネルを連ね、底パネルの上下辺にそれぞれウェブコーナーと三角コーナーとを備えた貼り不要六面体パッケージとする。【選択図】　図７
2004075153.tif 000002
【特許請求の範囲】
【請求項１】
概略長方形状の板紙、段ボールあるいは他の薄型形状素材に、四角形状の底パネルを設け、底パネルの両辺に長方形の外パネルをそれぞれ連ね、左側の外パネルの上下に長方形の中パネルと外パネルとを連ね、右側の外パネルの上下に長方形の外パネルと中パネルとを連ね、中央の両外パネルの側辺に四角形のダストフラップを連ね、左下の外パネルに折り返しを介在させて端部にタックを有するネックスルーパネルを連ね、右上の外パネルに端部にタックを有する天パネルを連ね、底パネルの上下辺にそれぞれウェブコーナーと三角コーナーとを備えたウェブを備え、ウェブを底パネルに対して折り畳んで中パネルを中側で外パネルを外側になるようにして起立させ、折り返しで中パネルの上端を挟持させてネックスルーパネルで上部開口を塞ぎ、さらに両ダストフラップで上部開口を塞ぎ、天パネルで前記ダストフラップを覆わせ、タックを折り返し内面側に差し込んでなる貼り不要六面体パッケージ。
【請求項２】
概略長方形状の板紙、段ボールあるいは他の薄型形状素材に、長方形の底パネルを設け、底パネルの両辺に長方形の外パネルをそれぞれ連ね、左側の外パネルの上下に長方形の外パネルと外パネルとを連ね、右側の外パネルの上下に長方形の中パネルと中パネルとを連ね、中央の両外パネルの側辺に端部にタックを有する天パネルと折り畳みパネルを連ね、左上下の外パネルの側辺にそれぞれダストフラップを連ね、底パネルの上下辺にそれぞれウェブコーナーと三角コーナーとを備えたウェブを設け、ウェブを底パネルに対して折り畳んで中パネルを中側で外パネルを外側になるようにして起立させ、折り畳みパネルを内面側へ折り畳み、ダストフラップで上部開口を塞ぎ、天パネルで前記ダストフラップを覆わせ、タックを差し込んでなる貼り不要六面体パッケージ。
【請求項３】
概略長方形状の板紙、段ボールあるいは他の薄型形状素材に、長方形の底パネルを設け、底パネルの両辺に長方形の正面パネルと背面パネルをそれぞれ連ね、正面パネルの上下に長方形の外パネルと外パネルとを連ね、背面パネルの上下に長方形の内パネルと内パネルとを連ね、正面パネルの側辺に長方形の折り畳みパネルを連ね、前記外パネルの側辺に長方形の挟持パネルを連ね、底パネルの上下辺にそれぞれウェブコーナーと三角コーナーとを備えたウェブを設け、ウェブを底パネルに対して折り畳んで中パネルを中側で外パネルを外側になるようにして起立させ、挟持パネルを折り畳んで内パネルの上端を挟持させ、折り畳みパネルを内側へ折り畳んで挟持パネルの反転を防止するようにした貼り不要ブックケース。
【発明の詳細な説明】
【０００１】
【発明の属する技術分野】
本発明は、貼り不要六面体パッケージとはりふようブックケースに関し、特に、貼り無しで堅牢性を有する貼り不要六面体パッケージと貼り不要ブックケースに関するものである。
【０００２】
【従来の技術】
一般的に流通している板紙製のパッケージは、大部分がサック貼り機による貼り加工を伴っている。勿論、貼り無しの六面体パッケージはあるがその殆どが梱包時の堅牢性に問題がある。その例として、バターやケーキの板紙製のパッケージが挙げられる。あるいは抜きっぱなしのブランクシートでぐるりと包む方法があるが、商品を包み込むために専用の梱包機械を使用する必要がある。
【０００３】
【発明が解決しようとする課題】
貼り無しの六面体パッケージで、梱包時に堅牢性を有し、専用の包装機械を必要としない貼り不要六面体パッケージの提供が待たれている。
【０００４】
【課題を解決するための手段】
本発明は、上記の事情に鑑み、貼り無しの六面体パッケージで、梱包時に堅牢性を有し、専用の包装機械を必要としない六面体パッケージを提供すべく、概略長方形状の板紙、段ボールあるいは他の薄型形状素材に、四角形状の底パネルを設け、底パネルの両辺に長方形の外パネルをそれぞれ連ね、左側の外パネルの上下に長方形の中パネルと外パネルとを連ね、右側の外パネルの上下に長方形の外パネルと中パネルとを連ね、中央の両外パネルの側辺に四角形のダストフラップを連ね、左下の外パネルに折り返しを介在させて端部にタックを有するネックスルーパネルを連ね、右上の外パネルに端部にタックを有する天パネルを連ね、底パネルの上下辺にそれぞれウェブコーナーと三角コーナーとを備えたウェブを備え、ウェブを底パネルに対して折り畳んで中パネルを中側で外パネルを外側になるようにして起立させ、折り返しで中パネルの上端を挟持させてネックスルーパネルで上部開口を塞ぎ、さらに両ダストフラップで上部開口を塞ぎ、天パネルで前記ダストフラップを覆わせ、タックを折り返し内面側に差し込んでなる貼り不要六面体パッケージとした。
【０００５】
また、本発明は、貼り無しの六面体パッケージで、梱包時に堅牢性を有し、専用の包装機械を必要とせず、横型の六面体パッケージを提供すべく、概略長方形状の板紙、段ボールあるいは他の薄型形状素材に、長方形の底パネルを設け、底パネルの両辺に長方形の外パネルをそれぞれ連ね、左側の外パネルの上下に長方形の外パネルと外パネルとを連ね、右側の外パネルの上下に長方形の中パネルと中パネルとを連ね、中央の両外パネルの側辺に端部にタックを有する天パネルと折り畳みパネルを連ね、左上下の外パネルの側辺にそれぞれダストフラップを連ね、底パネルの上下辺にそれぞれウェブコーナーと三角コーナーとを備えたウェブを設け、ウェブを底パネルに対して折り畳んで中パネルを中側で外パネルを外側になるようにして起立させ、折り畳みパネルを内面側へ折り畳み、ダストフラップで上部開口を塞ぎ、天パネルで前記ダストフラップを覆わせ、タックを差し込んでなる貼り不要六面体パッケージとした。
【０００６】
さらに、本発明は、貼り無しの六面体パッケージで、梱包時に堅牢性を有し、専用の包装機械を必要としないブックケースを提供すべく、概略長方形状の板紙、段ボールあるいは他の薄型形状素材に、長方形の底パネルを設け、底パネルの両辺に長方形の正面パネルと背面パネルをそれぞれ連ね、正面パネルの上下に長方形の外パネルと外パネルとを連ね、背面パネルの上下に長方形の内パネルと内パネルとを連ね、正面パネルの側辺に長方形の折り畳みパネルを連ね、前記外パネルの側辺に長方形の挟持パネルを連ね、底パネルの上下辺にそれぞれウェブコーナーと三角コーナーとを備えたウェブを設け、ウェブを底パネルに対して折り畳んで中パネルを中側で外パネルを外側になるようにして起立させ、挟持パネルを折り畳んで内パネルの上端を挟持させ、折り畳みパネルを内側へ折り畳んで挟持パネルの反転を防止するようにした貼り不要ブックケースとした。
【０００７】
【発明の実施の態様】
本発明を添付する図面の具体的な実施例に基づいて、以下詳細に説明する。
【０００８】
図１に示すように、概略長方形状の板紙、段ボールあるいは他の薄型形状素材に、四角形状の底パネル１を設け、底パネル１の両辺に折り曲げ線２・３を介して長方形の外パネル４・５をそれぞれ連ねる。
【０００９】
左側の外パネル４の上下に折り曲げ線６・７を介して長方形の中パネル８と外パネル９とを連ね、右側の外パネル５の上下に折り曲げ線１０・１１を介して長方形の外パネル１２と中パネル１３とを連ねる。
【００１０】
中央の両外パネル４・５の側辺に折り曲げ線１４・１５を介して四角形のダストフラップ１６・１７を連ねる。
【００１１】
左下の外パネル９に折り曲げ線１７を介して折り返し１８を介在させて端部にタック２０を有するネックスルーパネル２１を連ねる。符号２２・２３は折り曲げ線、２４は瓶形商品の首部を通す挿通孔である。
【００１２】
右上の外パネル１２端部にタック２５を有する天パネル２６を連ねる。符号２７・２８は折り曲げ線である。
【００１３】
底パネル１の上下辺に折り曲げ線２９・３０を介してそれぞれウェブコーナー３１・３２と三角コーナー３３・３４，３５・３６とを備えたウェブ３７・３８を備える。
【００１４】
本パッケージの組み立てについて以下に述べる。
【００１５】
図２に示すように、底パネル１内面に対しウェブコーナー３１・３２を折り畳み、外パネル９を中パネル１３の外側に位置させ、外パネル１２を中パネル８の外側に位置させる。
【００１６】
すると、図３に示すように、ウェブコーナー３１上に三角コーナー３４と三角コーナー３３が折り畳まれ、ウェブコーナー３２上に三角コーナー３５と三角コーナー３６が折り畳まれる。
【００１７】
ウェブ３７・３８を底パネル１に対して折り畳んで中パネル８・１３を中側で外パネル４・９，１２・５を外側になるようにして起立させる。
【００１８】
組み立てた後、図４に示すように、重量物の瓶形商品３９をウェブ３７・３８上に載置すると、本パッケージは箱の形態となり、ウェブコーナー３１と三角コーナー３３，三角コーナー３４と、ウェブコーナー３２，三角コーナー３５，三角コーナー３６は内容物の重量によってますますしっかり固定される。その結果、それに連なる中パネル８と外パネル１２，外パネル９と中パネル１３は外に向かって開く事がなくなる。
【００１９】
また、図３に示すように、底面１はそれを取り巻く外パネル４・５，ウエブコーナー３７・３８にそれぞれの罫線を介して隣接している。その結果、通常、底抜けすることはない。例えば、底パネル１の部分が差し込みの蓋であると何かの拍子に抜け落ちることが考えられるが、本発明の構造を持つ箱に関しては、底パネル１のあたりが破れない限りは、底パネル１の抜け落ちはあり得ない。
【００２０】
本パッケージの上部では、図５に示すように、折り返し１８で中パネル９の上端を挟持させてネックスルーパネル２１で上部開口を塞ぎ、タック２０を折り曲げ、中パネル８内面側に差し込み、さらに、両ダストフラップ１６・１７で上部開口を塞ぐ。
【００２１】
天パネル２６で前記ダストフラップ１６・１７を覆わせ、タック２５を折り返し１８内面側に差し込む。
【００２２】
組み立てられたパッケージ横断面が図６に示され、外パネル９は中パネル１３の外側に位置し、外パネル１２は中パネル８の外側に位置する。
【００２３】
図７が組み立て完了状態で、タック２５の折れ曲げ線２８の両端に切れ込み４０・４０が刻設してあって、タック２５を差し込むと、ダストフラップ１６・１７の突片４１・４１が切れ込み４０・４０に嵌まり、ロックされる。ロックされると、天パネル２６が図で右斜め下方に引っ張られ、中パネル８と外パネル１２との隙間が塞がっていく。
【００２４】
次に、横型の貼り不要六面パッケージの例について述べる。
【００２５】
図８に示すように、概略長方形状の板紙、段ボールあるいは他の薄型形状素材に、四角形状の底パネル４２を設け、底パネル４２の両辺に折り曲げ線４３・４４を介して長方形の外パネル４５・４６をそれぞれ連ねる。
【００２６】
左側の外パネル４５の上下に折り曲げ線４７・４８を介して長方形の外パネル４９と外パネル５０とを連ね、右側の外パネル４６の上下に折り曲げ線５１・５２を介して長方形の中パネル５３と中パネル５４とを連ねる。
【００２７】
中央の両外パネル４５・４６の側辺に折り曲げ線４７・４８を介して四角形の天パネル５５・折り畳みパネル５６を連ねる。天パネル５５の側辺の折り曲げ線５７を介してタック５８を連ねる。
【００２８】
外パネル４９・５０の端辺の折り曲げ線７２・５９を介してダストフラップ７０・７１を連ねる。
【００２９】
底パネル４２の上下辺に折り曲げ線５９・６０を介してそれぞれウェブコーナー６１・６２と三角コーナー６３・６４，６５・６６とを備えたウェブ６７・６８を備える。
【００３０】
本パッケージの組み立てについて以下に述べる。
【００３１】
図９に示すように、底パネル４２内面に対しウェブコーナー６１・６２内面を折り畳み、外パネル４９を中パネル５３の外側に位置させ、外パネル５０を中パネル５４の外側に位置させる。
【００３２】
すると、図９に示すように、ウェブコーナー６１上に三角コーナー６３と三角コーナー６４が折り畳まれ、ウェブコーナー６２上に三角コーナー６５と三角コーナー６６が折り畳まれる。
【００３３】
折り畳みパネル５６は図１０に示すように、内側へ折り畳まれ、ダストフラップ７０・７１が折り畳まれ、天パネル５５で開口を覆い、タック５８を差し込む。タック５８の折り曲げ線５７の両端に切れ込み７３・７３が刻設してあって、タック５８を差し込むと、ダストフラップ７０・７１の突片７４・７４が切れ込み７３・７３に嵌まり、ロックされる。
【００３４】
次に、貼り不要ブックケースの例について述べる。
【００３５】
図１１に示すように、概略長方形状の板紙、段ボールあるいは他の薄型形状素材に、長方形の底パネル７５を設け、底パネル７５の両辺に折り曲げ線７６・１０３を介して長方形の正面パネル７７と背面パネル７８をそれぞれ連ね、正面パネル７７の上下に折り曲げ線７９・８０を介して長方形の外パネル８１と外パネル８２とを連ね、背面パネル７８の上下の折り曲げ線８３・８４を介して長方形の内パネル８５と内パネル８６とを連ねる。
【００３６】
正面パネル７７の側辺の折り曲げ線８７を介して長方形の折り畳みパネル８８を連ねる。
【００３７】
前記外パネル８１・８２の側辺の折り曲げ線８９・９０を介して長方形の挟持パネル９１・９２を連ねる。
【００３８】
底パネル７５の上下辺の折り曲げ線９３・９４を介してそれぞれウェブコーナー９５・９６と三角コーナー９７・９８，９９・１００とを備えたウェブ１０１・１０２を備える。
【００３９】
ウェブ１０１・１０２を底パネル７５に対して折り畳んで中パネル８５・８６を中側で外パネル８１・８２を外側になるようにして起立させ、挟持パネル９１・９２を折り畳んで内パネル８１・８２の上端を挟持させ、図１３に示すように、折り畳みパネル８８を内側へ折り畳んで挟持パネル９１・９２の反転を防止する。
【００４０】
【発明の効果】
本発明は、上述のように、概略長方形状の板紙、段ボールあるいは他の薄型形状素材に、四角形状の底パネルを設け、底パネルの両辺に長方形の外パネルをそれぞれ連ね、左側の外パネルの上下に長方形の中パネルと外パネルとを連ね、右側の外パネルの上下に長方形の外パネルと中パネルとを連ね、中央の両外パネルの側辺に四角形のダストフラップを連ね、左下の外パネルに折り返しを介在させて端部にタックを有するネックスルーパネルを連ね、右上の外パネルに端部にタックを有する天パネルを連ね、底パネルの上下辺にそれぞれウェブコーナーと三角コーナーとを備えたウェブを備え、ウェブを底パネルに対して折り畳んで中パネルを中側で外パネルを外側になるようにして起立させ、折り返しで中パネルの上端を挟持させてネックスルーパネルで上部開口を塞ぎ、さらに両ダストフラップで上部開口を塞ぎ、天パネルで前記ダストフラップを覆わせ、タックを折り返し内面側に差し込んでなる貼り不要六面体パッケージであるので、貼り無しの六面体パッケージで、梱包時に堅牢性を有し、専用の包装機械を必要としない六面体パッケージを提供することができる。
【００４１】
また、本発明は、概略長方形状の板紙、段ボールあるいは他の薄型形状素材に、長方形の底パネルを設け、底パネルの両辺に長方形の外パネルをそれぞれ連ね、左側の外パネルの上下に長方形の外パネルと外パネルとを連ね、右側の外パネルの上下に長方形の中パネルと中パネルとを連ね、中央の両外パネルの側辺に端部にタックを有する天パネルと折り畳みパネルを連ね、左上下の外パネルの側辺にそれぞれダストフラップを連ね、底パネルの上下辺にそれぞれウェブコーナーと三角コーナーとを備えたウェブを設け、ウェブを底パネルに対して折り畳んで中パネルを中側で外パネルを外側になるようにして起立させ、折り畳みパネルを内面側へ折り畳み、ダストフラップで上部開口を塞ぎ、天パネルで前記ダストフラップを覆わせ、タックを差し込んでなる貼り不要六面体パッケージであるので、貼り無しの六面体パッケージで、梱包時に堅牢性を有し、専用の包装機械を必要とせず、横型の六面体パッケージを提供することができる。
【００４２】
さらに、本発明は、概略長方形状の板紙、段ボールあるいは他の薄型形状素材に、長方形の底パネルを設け、底パネルの両辺に長方形の正面パネルと背面パネルをそれぞれ連ね、正面パネルの上下に長方形の外パネルと外パネルとを連ね、背面パネルの上下に長方形の内パネルと内パネルとを連ね、正面パネルの側辺に長方形の折り畳みパネルを連ね、前記外パネルの側辺に長方形の挟持パネルを連ね、底パネルの上下辺にそれぞれウェブコーナーと三角コーナーとを備えたウェブを設け、ウェブを底パネルに対して折り畳んで中パネルを中側で外パネルを外側になるようにして起立させ、挟持パネルを折り畳んで内パネルの上端を挟持させ、折り畳みパネルを内側へ折り畳んで挟持パネルの反転を防止するようにした貼り不要ブックケースであるので、貼り無しのブックケースで、梱包時に堅牢性を有し、専用の包装機械を必要としないブックケースを提供することができる。
【図面の簡単な説明】
【図１】本発明の貼り不要六面体パッケージの展開図である。
【図２】図１のものを底パネル内面に対しウェブを折り畳み、外パネルを中パネルの外側に位置させた状態の斜視図である。
【図３】ウェブを折り畳んだ状態を示す斜視図である。
【図４】本パッケージを組み立て重量物の瓶形商品を載置した状態の斜視図である。
【図５】本パッケージの上部の斜視図である。
【図６】組み立てられたパッケージの横断面図である。
【図７】本パッケージの組み立て完了状態の斜視図である。
【図８】本発明の横型の貼り不要六面体パッケージの展開図である。
【図９】図８のものを底パネル内面にウェブを折り畳んだ状態の斜視図である。
【図１０】本パッケージの組み立て完了前の斜視図である。
【図１１】本発明の貼り不要ブックケースの展開図である。
【図１２】挟持パネルを折り畳む状態を示す斜視図である。
【図１３】折り畳みパネルを折り畳んだ状態を示す斜視図である。
【符号の説明】
１…底パネル
４・５…外パネル
８…中パネル
９…外パネル
１２…外パネル
１３…中パネル
１６・１７…ダストフラップ
１８…折り返し
２０…タック
２１…ネックスルーパネル
２５…タック
２６…天パネル
３１・３２…ウェブコーナー
３３・３４，３５・３６…三角コーナー
３７・３８…ウェブ
４２…底パネル
４５・４６…外パネル
４９・５０…外パネル
５３・５４…中パネル
５８…タック
５５…天パネル
５６…折り畳みパネル
７０・７１…ダストフラップ
６１・６２…ウェブコーナー
６３・６４，６５・６６…三角コーナー
６７・６８…ウェブ
７５…底パネル
７７…正面パネル
７８…背面パネル
８１・８２…外パネル
８５・８６…内パネル
８８…折り畳みパネル
９１・９２…挟持パネル
９５・９６…ウェブコーナー
９７・９８，９９・１００…三角コーナー
１０１・１０２…ウェブ
【図１】
2004075153.tif 000003
【図２】
2004075153.tif 000004
【図３】
2004075153.tif 000005
【図４】
2004075153.tif 000006
【図５】
2004075153.tif 000007
【図６】
2004075153.tif 000008
【図７】
2004075153.tif 000009
【図８】
2004075153.tif 000010
【図９】
2004075153.tif 000011
【図１０】
2004075153.tif 000012
【図１１】
2004075153.tif 000013
【図１２】
2004075153.tif 000014
【図１３】
2004075153.tif 000015